(57)【要約】      （修正有）【課題】使用時の強度を向上しつつ形状も好適に維持する事ができ、使い勝手が良い転写具を提供する。【解決手段】少なくとも転写物を含む交換部品を保持する第一ケース１と、該第一ケース１と係脱可能に係り合い前記転写物を転写対象物へ送り出す送出機構部品の少なくとも一部を構成する非交換部品を保持する第二ケース２と、第一ケース１及び第二ケース２の所定領域に係脱可能に外嵌させて当該第一ケース１と第二ケース２とを保持し得る保持部と、当該保持部の対向方面に第一ケース１と第二ケース２とを係脱可能に係わり合わせる係合部Ｘとを具備している。【選択図】図５
2011173424.tif 000002
【特許請求の範囲】
【請求項１】
少なくとも転写物を含む交換部品を保持する第一ケースと、
該第一ケースと係脱可能に係り合い前記転写物を転写対象物へ送り出す送出機構部品の少なくとも一部を構成する非交換部品を保持する第二ケースとを有する転写具であって、
前記第一ケース及び第二ケースの所定領域に係脱可能に外嵌させて当該第一ケースと第二ケースとを保持し得る保持部と、
当該保持部の対向方面に前記第一ケースと第二ケースとを係脱可能に係わり合わせる係合部とを具備していることを特徴とする転写具。
【請求項２】
前記係合部を、前記保持部に対して略正対する位置に設けている請求項1記載の転写具。
【請求項３】
前記係合部を、前記保持部に対面する位置に1箇所のみ設けている請求項１又は２記載の転写具。
【請求項４】
前記第一ケース及び第二ケースから前記保持部を脱離させた姿勢において前記係合部を軸に前記第一ケースと第二ケースとを相対的に回動させることにより当該第一ケースと第二ケースとを接離させ得るように構成し、
前記交換部品及び前記非交換部品の何れか又は両方に、前記回動させる動作の際の前記交換部品と前記非交換部品との干渉を回避するテーパ面を設けている請求項１、２又は３記載の転写具。
【請求項５】
前記保持部を、前記第二ケースに取り付けている請求項１、２、３又は４記載の転写具。
【発明の詳細な説明】
【技術分野】
【０００１】
本発明は、紙等の転写対象物にテープ糊や修正テープ等の転写物を転写するために用いられる詰替タイプの転写具に関するものである。
【背景技術】
【０００２】
この種の詰替タイプの転写具としては、半割構造をなすケースに転写物や転写物をケース外に送り出す送出機構部品を内蔵させて、転写具を使い終えた場合にケースを分離して交換すべき部材を新たなものと入れ替えるようにしたものが種々考えられている（例えば、特許文献１参照）。同文献に開示されている転写具は、ケースを半割構造（一方を第一ケース、他方を第二ケースと仮称する）からなるものとし、第一ケースには塗膜テープ、リール、転写ヘッドを内蔵させ、第二ケースにギア等の機構部品を内蔵させて、第一ケースと第二ケースとを嵌合させた状態で所要箇所において係合爪と係止部とを係合させることで一体のケースとして組み立てて転写具として使用可能な状態とする一方、塗膜テープ等を内蔵した第一ケースをカートリッジと見立てることでこのカートリッジを新品と交換できるようにしたものである。
【先行技術文献】
【特許文献】
【０００３】
【特許文献１】特開２００２−１７８６９４号公報
【発明の概要】
【発明が解決しようとする課題】
【０００４】
ところが、このような構成の転写具であると、ケースが第一ケースと第二ケースとからなる半割の嵌合筐体構造を有していることに起因して、使用時に転写ヘッドを紙等の転写対象物へ押し付ける力が強すぎた場合や、使用時にケースを持つ使用者の手の力が強すぎた場合には、ケース自体に撓みが生じたりケース内の部品に不要な押圧力が作用して適切に転写物を送出することができなくなり、転写性が損なわれることがあった。また、第一ケースと第二ケースとを相互に嵌め合わせた上でそれらに設けられた係合爪と係止部とを係合させる構造を有しているので、一旦分離させた第一ケースと第二ケースを正確に位置決めしないことには一体のケースに組み立てることが難しく、またその位置決めの手間も面倒であった。
【０００５】
そこで本発明は、以上のような問題に鑑みて、使用時の強度を向上しつつ、形状も好適に維持する事ができ、使い勝手が良い転写具を提供しようとするものである。
【課題を解決するための手段】
【０００６】
本発明は、このような目的を達成するために、次のような手段を講じたものである。すなわち、本発明に係る転写具は、少なくとも転写物を含む交換部品を保持する第一ケースと、該第一ケースと係脱可能に係り合い前記転写物を転写対象物へ送り出す送出機構部品の少なくとも一部を構成する非交換部品を保持する第二ケースとを有する転写具であって、前記第一ケース及び第二ケースの所定領域に係脱可能に外嵌させて当該第一ケースと第二ケースとを保持し得る保持部と、当該保持部の対向方面に前記第一ケースと第二ケースとを係脱可能に係わり合わせる係合部とを具備していることを特徴とする。
【０００７】
ここで保持部は第一ケース或いは第二ケースの何れかに取り付けられている態様であっても、別体に構成された態様であっても良い。
【０００８】
このようなものであれば、保持部が第一ケースと第二ケースとを所定領域、すなわち係合部の対向方面である片側で確実に保持する事によって転写具自体の形状を確実に保持して転写具の使用感度を高める事ができるとともに、転写具の強度を好適に維持することが可能である。
【０００９】
より確実に強度と係合保持を両立させるためには、係合部を、保持部に対して略正対する位置に設ける事が望ましい。また、単純な構成によって上述した効果を奏し得るものとして、保持部に対面する位置に１箇所のみ設けたものを挙げる事ができる。
【００１０】
交換部品と非交換部品とが干渉させることなく好適に第一ケースと第二ケースとの係合を解除して交換部品を交換するためには、第一ケース及び第二ケースから保持部を解除した姿勢において係合部を軸に第一ケースと第二ケースとを相対的に回動させることにより第一ケースと第二ケースとを接離させ得るように構成し、交換部品及び非交換部品の何れか又は両方に、回動させる動作の際の交換部品と非交換部品との干渉を回避するテーパ面を設けたものが望ましい。
【００１１】
交換部品を含む第一ケースの部品点数を有効に削減して、ランニングコストを低減するためには、保持部を、非交換部品を取り付けている第二ケースに取り付けることが望ましい。
【発明の効果】
【００１２】
本発明によれば、保持部が第一ケースと第二ケースとを所定領域、すなわち係合部の対向方面である片側で確実に保持する事によって転写具自体の形状を確実に保持して使用感度を高め使用感度の良いものとしつつ、強度を好適に維持した転写具を提供することが可能である。
【図面の簡単な説明】
【００１３】
【図１】本発明の一実施形態に係る転写具を示す斜視図。
【図２】同実施形態に係る転写具の使用状態を示す平面図。
【図３】同転写具の保持解除状態を示す平面図。
【図４】図２に係る断面図。
【図５】同実施形態に係る動作説明図。
【発明を実施するための形態】
【００１４】
以下、本発明の一実施の形態について図面を参照して説明する。
【００１５】
図１に斜視図を示すこの実施形態の転写具Ａは、転写物として塗膜テープ状の糊（以下、「テープ糊Ｔ」と称する）を採用し、所要の長さずつ送り出したテープ糊Ｔの糊を紙片等の転写対象物の表面に貼着させて使用に供されるものである。なおテープ糊Ｔは、樹脂製の長尺かつ薄肉なテープ本体の一方の面に予め糊を貼着したものである。本実施形態において転写具Ａは、糊やそれを送り出す送出機構部品を収容した概ね半割構造をなす第一ケース１と第二ケース２と、これら一対のケース１、２に外嵌した保持部３とを主たる構成部品としている。
【００１６】
ここで、本実施形態に係る転写具Ａは、上述した保持部３の対向方面に第一ケース１と第二ケース２とを係脱可能に係わり合わせる係合部Ｘを具備していることを特徴としているものである。
【００１７】
以下、転写具Ａの各構成要素について、図１、図２、図３及び図４（ａ）及び図４（ｂ）を用いて詳述する。なお、図４（ａ）は図２に係るａ−ａ断面図であり、図４（ｂ）は同ｂ−ｂ断面図である。
【００１８】
第一ケース１は、交換用カートリッジとして機能するものであり、外側壁となる側壁１１と、この側壁１１の前端部、上端部及び後端部に亘って連続する周壁１２とから構成されており、下端部側は開放させている。本実施形態では第一ケース１を合成樹脂の一体成形品としている。また、側壁１１の下側において、保持部３に接する部分は、特に図４（ａ）に示すように、後述する保持部３の立壁３１の厚み寸法に対応させて内方へ凹ませた凹部１３としている。また周壁の上端部のうち、保持部に略正対する位置すなわち対向する位置に係合爪１４を1箇所形成しており、当該係合爪１４の先端に形成している係合突起１５を第二ケース２の後述する係合穴２５に係合し後述する係合部Ｘを構成し得るものとしている。また側壁１１の内側面における前端部側と後端部側には軸部を突出させて形成し、前端部側の軸部には未使用状態のテープ糊Ｔを巻回状態で保持する巻き出しスプール１６を回転可能に支持させており（図４（ａ））、後端部側の軸部には糊を転写した後のテープ本体を巻き取って巻回保持する巻き取りスプール１７を支持させている（図４（ｂ））。
【００１９】
そして、第一ケース１の前端部には下方の開口から突出させて転写ヘッドＨを取り付けている。具体的にこの転写ヘッドＨは、側壁１１の前端部に取り付けられるローラ受けＨ１と、このローラ受けＨ１に対して回転可能な転写ローラＨ２とから構成される。したがって、巻き出しスプール１６から引き出したテープ糊Ｔは、下方から転写ローラＨ２の下向きの面を経由してこの下向きの面から糊のみが紙片等に塗布され、テープ本体のみが転写ローラＨ２から巻き出しスプール１６の上側を通って巻き取りスプール１７の下側から巻回状態で回収される。そして、消耗部品たるテープ糊Ｔと、テープ糊Ｔを紙片に供給するための送出機構部品の一部である巻き出しスプール１６、巻き取りスプール１７、転写ヘッド等Ｈを交換部品として、第一ケース１に付帯させた状態で新品と交換するようにしている。
【００２０】
第二ケース２は、テープ糊Ｔを紙片に供給するための送出機構部品の一部である非交換部品を保持している。具体的に第二ケース２は、図４に示すように、第一ケース１の側壁１１と対をなして転写具Ａの外側壁を構成する側壁２１と、第一ケース１の周壁１２と対をなすように側壁２１の前端部、上端部及び後端部に亘って連続する周壁２２とから構成されており、下端部側は開放させている。本実施形態においては第二ケース２も合成樹脂の一体成形品としている。側壁２１の下端部側には第一ケース１の凹部１３と対をなすように保持部３の後述する立壁３２の厚み寸法に対応させて内方へ凹ませた凹部２３としている。また周壁２２の上端部のうち、保持部３に略正対する位置すなわち対向する位置に係合穴２５を1箇所形成しており、当該係合穴２５を上述した第一ケース１の係合穴１５に係合し得るものとしている。また図４に示すように、側壁２１の内側面における前端部側と後端部側とには、略水平に延びる軸部を突出させて形成しており、前端部側の軸部には巻き出しギア２６を回転可能に支持させてこの巻き出しギア２６に取り付けた巻き出しコア２６ａにより巻き出しスプール１６を回転駆動するように構成し（図４（ａ））、後端部側の軸部には巻き取りスプール１６を回転駆動するための巻き取りコア２７ａを一体に付帯した巻き取りギア２７を回転可能に支持させている（図４（ｂ））。
【００２１】
また、側壁２１の下端部側の、巻き出しギア２６の下端部よりもやや後方よりの位置、すなわち巻き出しギア２６と巻き取りギア２７との間のスペースには、保持部３を回動可能に支持する回動軸２８を突出させて形成している。
【００２２】
保持部３は、第一ケース１と第二ケース２とが相互に嵌め合わせられた状態で保持して転写具Ａを使用可能な図２に示す使用状態（Ｐ）とする機能と、第一ケース１と第二ケース２とを分解可能な図３に示す保持解除状態（Ｑ）とする機能とを兼ね備えたものである。
【００２３】
具体的にこの保持部３は、第二ケース２に突出させた回動軸２８に、軸受け３４を介して回動可能に取り付けられたものであり、図４（ａ）に示すように、右左の板状をなす立壁３１、３２と、これら立壁３１、３２の下側を繋ぐ板状の底壁３３とを主体として構成した断面視コの字状をなすものである。本実施形態では立壁３１、３２及び底壁３３を合成樹脂の一体成形品とし、第一ケース１や第二ケース２よりも厚肉で剛性の高いものを採用している。右側の立壁３１と左側の立壁３２とは、使用状態（Ｐ）において第一ケース１及び第二ケース２の凹部１３、２３に対して外嵌し、底壁３３が第一ケース１及び第二ケース２の開放された下端部を覆うように構成している。このとき立壁３１、３２は、それぞれ第一ケース１及び第二ケース２の側壁１１、２１と略面一となるようにしている。
【００２４】
また、保持部３の先端にはキャップ４を回動可能に取り付けており、当該キャップ４を回転させて上述した転写ヘッドＨを被覆する図２に実線で示す被覆姿勢（Ｃ）と、転写ヘッドＨを露出させる図１或いは図２に破線で示す露出姿勢（Ｏ）とをとり得るようにしている。
【００２５】
しかして本実施形態に係る転写具Ａは、保持部３に対向する方向に、上述のように第一ケース１に形成した係合爪１４の係合突起１５と第二ケース２に形成した係合穴２５とによって本発明に係る係合部Ｘを形成している。そして、交換部品である第一ケース１を交換するにあたり、図５（ａ）、図５（ｂ）及び図５（ｃ）に示すように、係合部Ｘを軸として回動させる事によって第一ケース１を第二ケース２に対して離脱させ得るように構成している。
【００２６】
以下、本実施形態に係る転写具Ａにおいて、第一ケースを第二ケースから取り外す一連の動作を、図５（ａ）、図５（ｂ）及び図５（ｃ）を用いて説明する。まず図５（ａ）は、図３すなわち保持部３を保持解除状態（Ｑ）とした際のｃ−ｃ断面図である。そして当該図５（ａ）に示した状態から、係合部Ｘを軸に第一ケースを回動させると同図（ｂ）に示す過程を経て、同図（ｃ）の状態へと移行させて第一ケース１の取り外しを行う。
【００２７】
ここで、巻き出しギア２６側の巻き出しコア２６ａと係り合う巻き出しスプール１６の内面には第一ケース１の交換作業を行う際に巻き出しコア２６ａと干渉する事を防止するテーパ面１６ａを形成している。そのため、特に巻き出しコア２６ａと干渉することなく、同図（ｂ）に示す過程から同図（ｃ）の状態へと好適に移行させて第一ケース１の取り外しを好適に行う事ができる。一方、新たな第一ケース１を第二ケース２側へ装着する際には上述の逆の操作を行えばよい。また他に、第一ケース１に形成した係合爪１４を厚み方向に弾性変形可能に構成しているため、第一ケース１と第二ケース２とを互いに断面視平行に対面させながら係合突起１５及び係合穴２５すなわち係合部Ｘ、巻き出しスプール１６及び巻き出しコア２６、巻き取りスプール及び巻き取りコア２７をそれぞれ略同時に嵌め合わせる事も可能である。このとき、係合爪１４が厚み方向に弾性変形することによって係合突起１５が周壁２２に当接する際に一時的に図示上下方向である厚み方向に退避した状態を経て、係合穴２５に嵌り合うこととなる。このように、本実施形態に係る転写具Ａは、保持部３を保持解除状態（Ｑ）として係合部３を中心に第一ケース１を回動させる事によって、交換部品である第一ケース１の交換を容易に行う事ができるものとなっている。また詳細に説明すると、本実施形態では巻き出しコア２６ａにもテーパ面２６ａ１を設けているため、巻き出しスプール１６のテーパ面１６ａと巻き出しコア２６ａのテーパ面２６ａ１とが相互に干渉することを回避しながら第一ケース１の取り外しをより良好に行い得るものとなっている。
【００２８】
以上のように、本実施形態に係る転写具Ａは、第一ケース１及び第二ケース２の所定領域に係脱可能に外嵌させて当該第一ケース１と第二ケース２とを保持し得る保持部３と、この保持部３の対向方面に第一ケース１と第二ケース２とを係脱可能に係わり合わせる係合部Ｘとを具備しているので、保持部３が第一ケース１と第二ケース２とを所定領域、すなわち係合部Ｘの対向方面である片側で確実に保持する事によって転写具Ａ自体の形状を確実に保持して転写物たるテープ糊Ｔの転写性や転写具Ａの使用感を好適に向上させたものとなっている。さらに、転写具Ａの強度についても好適に向上させたものとなっている。
【００２９】
また具体的には、係合部Ｘを、保持部３に対して略正対する位置に設けているので、より確実に、転写具Ａ自体の強度と形状保持とを両立させたものとなっている。詳細には、係合部Ｘを保持部に対面する位置に1箇所のみ設けていることにより、単純な構成で係合部Ｘを実現、すなわち保持部３とともに形状を好適に維持し得るものとなっている。
【００３０】
そして、交換部品である第一ケース１を交換する際には、保持部３を保持解除状態（Ｑ）とし、その保持解除状態（Ｑ）において係合部Ｘを軸に第一ケース１と第二ケース２とを相対的に回動させることによって、第一ケース１と第二ケース２とを接離させ得るようにすることにより容易に交換作業を行い得るように構成している。併せて第一ケース１に取り付けた巻き出しスプール１６に図５に示すようなテーパ面１６ａを設けることにより、交換部品である巻き出しスプール１６と非交換部品である巻き出しコア２６ａとの干渉を好適に回避させ、第一ケース１と第二ケース２との係合をスムーズに解除して第一ケース１の交換作業を行うことができる。
【００３１】
加えて、保持部３を第二ケース２に取り付けているので、交換部品である第一ケース１に取り付ける部品点数を有効に削減でき、継続使用に係るランニングコストの低減を好適に図ることを実現している。
【００３２】
以上、本発明の実施形態について説明したが、各部の具体的な構成は、上述した実施形態のみに限定されるものではない。例えば、保持部に対向する位置に係合部を２箇所以上設けたものであってもよい。また、係合部の形状は係合爪の係合突起に係合穴を係り合わせる構成に限られる事はなく、例えば第一ケースが第二ケースに枢支されるようなものであっても良い。また、上記実施形態ではテーパ面を巻き出しスプール並びに巻き出しコアに形成した態様を開示したが、巻き取りスプール並びに巻き取りコアの一方或いは両方にテーパ面を設けた態様を妨げるものではない。
【００３３】
その他、各部の具体的構成についても上記実施形態に限られるものではなく、本発明の趣旨を逸脱しない範囲で種々変形が可能である。
【産業上の利用可能性】
【００３４】
本発明は、紙等の転写対象物にテープ糊や修正テープ等の転写物を転写するために用いられる詰替タイプの転写具として利用することができる。
【符号の説明】
【００３５】
１…第一ケース
２…第二ケース
３…保持部
１６ａ、２６ａ１…テーパ面
Ａ…転写具
Ｘ…係合部
【図１】
2011173424.tif 000003
【図２】
2011173424.tif 000004
【図３】
2011173424.tif 000005
【図４】
2011173424.tif 000006
【図５】
2011173424.tif 000007
【手続補正書】
【提出日】平成23年5月2日(2011.5.2)
【手続補正１】
【補正対象書類名】明細書
【補正対象項目名】０００６
【補正方法】変更
【補正の内容】
【０００６】
本発明は、このような目的を達成するために、次のような手段を講じたものである。すなわち、本発明に係る転写具は、少なくとも転写物を含む交換部品を保持する第一ケースと、
該第一ケースに対して係脱可能に設けられ前記転写物を転写対象物へ送り出す送出機構部品の少なくとも一部を構成する非交換部品を保持する第二ケースと、前記転写対象物に前記転写物を転写するために前記転写対象物に押し付けられる転写ヘッドとを有する転写具であって、使用状態と保持解除状態との間で作動し得るように前記第二ケースに保持され、前記使用状態において当該第一ケースと第二ケースとを使用可能な状態に保持し得る保持部と、前記保持部に設けられ前記転写ヘッドを被覆する被覆姿勢及び前記転写ヘッドを露出させる露出姿勢をとり得るキャップとを具備していることを特徴とする。
【手続補正２】
【補正対象書類名】明細書
【補正対象項目名】０００７
【補正方法】変更
【補正の内容】
【０００７】
ここで保持部は少なくとも第二ケースに保持されていれば良い。
【手続補正３】
【補正対象書類名】明細書
【補正対象項目名】０００８
【補正方法】変更
【補正の内容】
【０００８】
このようなものであれば、保持部が第一ケースと第二ケースとを保持する事によって転写具自体の形状を確実に保持できるとともに、転写具の強度を好適に維持することが可能である。
【手続補正４】
【補正対象書類名】明細書
【補正対象項目名】０００９
【補正方法】変更
【補正の内容】
【０００９】
前記保持部は、前記第二ケースに回転可能に保持されている事が望ましい。
【手続補正５】
【補正対象書類名】明細書
【補正対象項目名】００１０
【補正方法】変更
【補正の内容】
【００１０】
前記保持部の好ましい形態としては、板状をなす立壁と、立壁の下側を繋ぐ板状の底壁とを主体として構成した断面視コの字状をなすものが挙げられる。
【手続補正６】
【補正対象書類名】明細書
【補正対象項目名】００１１
【補正方法】変更
【補正の内容】
【００１１】
前記保持部のより好ましい形態としては、前記第一ケース及び第二ケースの所定領域に係脱可能に外嵌させてなるものが挙げられる。
【手続補正７】
【補正対象書類名】明細書
【補正対象項目名】００１２
【補正方法】変更
【補正の内容】
【００１２】
本発明によれば、保持部が第一ケースと第二ケースとを保持する事によって転写具自体の形状を確実に保持しつつ、強度を好適に維持した転写具を提供することが可能である。
【手続補正８】
【補正対象書類名】特許請求の範囲
【補正対象項目名】全文
【補正方法】変更
【補正の内容】
【特許請求の範囲】
【請求項１】
少なくとも転写物を含む交換部品を保持する第一ケースと、
該第一ケースに対して係脱可能に設けられ前記転写物を転写対象物へ送り出す送出機構部品の少なくとも一部を構成する非交換部品を保持する第二ケースと、
前記転写対象物に前記転写物を転写するために前記転写対象物に押し付けられる転写ヘッドとを有する転写具であって、
使用状態と保持解除状態との間で作動し得るように前記第二ケースに支持され、前記使用状態において当該第一ケースと第二ケースとを使用可能な状態に保持し得る保持部と、
前記保持部に設けられ前記転写ヘッドを被覆する被覆姿勢及び前記転写ヘッドを露出させる露出姿勢をとり得るキャップとを具備していることを特徴とする転写具。
【請求項２】
前記保持部が、前記第二ケースに回転可能に保持されている請求項１記載の転写具。
【請求項３】
前記保持部が、板状をなす立壁と、立壁の下側を繋ぐ板状の底壁とを主体として構成した断面視コの字状をなすものである請求項１又は２記載の転写具。
【請求項４】
前記保持部が、前記第一ケース及び第二ケースの所定領域に係脱可能に外嵌させてなる請求項１、２又は３記載の転写具。